(57)【要約】【課題】  本発明は、遠隔操作により録画再生装置内の録画番組タイトルを消去、移動、画質変更等することにより、録画可能な残容量を効果的に増加することにより録画予約を確実に実行可能とする録画再生装置を提供することを目的とする。【解決手段】  本発明の録画再生装置（１）は、ネットワークを経由して外部の機器（３）と通信を行う通信手段（２１）と、映像を伴う番組の情報を記憶する記憶手段（１４ｄ）と、通信手段を介して記憶手段の記憶に関わる番組の情報（図７）を外部の機器に送信する提供手段（１５、２１）と、通信手段を介して外部の機器から番組の圧縮レート変換要求の受信（図６のＳ２６）に従い、記憶手段に記憶されている番組の圧縮レートを異なる圧縮レートに変換する変換手段（１３、１５）とを具備したことを特徴とする。【選択図】  図１
2005184451.tif 000002
【特許請求の範囲】
【請求項１】
ネットワークを経由して外部の機器と通信を行う通信手段と、映像を伴う番組の情報を記憶する記憶手段と、前記通信手段を介して前記記憶手段の記憶に関わる番組の情報を前記外部の機器に送信する提供手段と、前記通信手段を介して前記外部の機器から当該番組の圧縮レート変換要求の受信に従い、前記記憶手段に記憶されている番組の圧縮レートを異なる圧縮レートに変換する変換手段とを具備したことを特徴とする録画再生装置。
【請求項２】
前記提供手段は、前記外部の機器に番組の一覧情報を送信することを特徴とする特許請求項１記載の録画再生装置。
【請求項３】
前記提供手段は、前記記憶手段に記憶された番組を所定の条件に従い抽出し、若しくは、加工し、前記外部の機器に番組の一覧情報を送信することを特徴とする特許請求項１記載の録画再生装置。
【請求項４】
ネットワークを経由して外部の機器と通信を行う通信手段と、映像を伴う番組の情報を記憶する第1の記憶手段と、前記通信手段を介して前記第1の記憶手段の記憶に関わる番組の情報を前記外部の機器に送信する提供手段と、前記通信手段を介して前記外部の機器から番組の移動要求の受信に従い、前記第1の記憶手段に記憶されている番組を第２の記憶手段に移動する移動手段とを具備したことを特徴とする録画再生装置。
【請求項５】
前記提供手段は、前記外部の機器に番組の一覧情報を送信することを特徴とする特許請求項４記載の録画再生装置。
【請求項６】
前記提供手段は、前記記憶手段に記憶された番組を所定の条件に従い抽出し、若しくは、加工し、前記外部の機器に番組の一覧情報を送信することを特徴とする特許請求項４記載の録画再生装置。
【請求項７】
ネットワークを経由して第１及び第２の外部の機器と通信を行う通信手段と、映像を伴う番組の情報を記憶する記憶手段と、前記通信手段を介して前記記憶手段の記憶に関わる番組の情報を前記第１の外部の機器に送信する提供手段と、前記通信手段を介して前記第１の外部の機器から番組の消去要求の受信に従い、当該番組が異なるユーザにより所有されている場合、前記第２の外部機器に対して当該番組の消去の承認依頼を送信する依頼手段と、前記通信手段を介して前記第２の外部の機器から当該番組の消去承認の受信に従い前記記憶手段に記憶されている番組を消去する消去手段とを具備したことを特徴とする録画再生装置。
【請求項８】
前記提供手段は、前記外部の機器に番組の一覧情報を送信することを特徴とする特許請求項７記載の録画再生装置。
【請求項９】
前記提供手段は、前記記憶手段に記憶された番組を所定の条件に従い抽出し、若しくは、加工し、前記外部の機器に番組の一覧情報を送信することを特徴とする特許請求項７記載の録画再生装置。
【請求項１０】
前記提供手段は、前記第１の外部の機器から番組の情報に関する送信依頼を受信した場合、送信依頼したユーザが所有する番組のみの一覧情報を前記第１の外部の機器に送信することを特徴とする特許請求項７記載の録画再生装置。
【請求項１１】
前記通信手段を介して前記第１の外部の機器から番組の消去要求の受信に従い、当該番組が異なるユーザにより所有されている場合でも、当該番組が前記記憶手段に記憶後、一度再生された番組である時、前記記憶手段に記憶されている番組を消去することを特徴とする特許請求項７記載の録画再生装置。
【発明の詳細な説明】
【技術分野】
【０００１】
本発明は、録画予約を可能とした録画再生装置に係わり、特に、ネットワークを利用して録画予約を可能とした録画再生装置における録画番組の消去、移動、或いは、画質・音質変更等の管理に関するものである。
【背景技術】
【０００２】
従来、テレビジョン放送、映画等の映像を伴う番組情報を記憶し、再生する録画再生装置等のハードディスクレコーダに於いては、赤外線リモートコントローラ等の操作で番組の録画予約を可能にする。また、Ｇコードと呼ばれる録画予約コードを入力することにより、番組予約操作の容易化を図っている。これに加えて、近年では、ネットワークを利用した録画予約が可能な録画再生装置が開発されている。この種の録画再生装置は、ネットワークを介して外出先等の遠隔地からの録画予約や外出先等の遠隔地にハードディスクの容量不足を通知することが可能である。特に、録画再生装置は、内蔵しているハードディスクの空き容量が不足し、あらかじめ設定された録画予約を実行できないと判断した際、ネットワークを介してユーザの携帯電話に容量不足を通知していた。携帯電話で容量不足の通知を確認したユーザは、録画再生装置が録画番組のデータを要求し、ユーザは当該番組のデータから消去する番組を選択し録画再生装置に送信し、録画再生装置は選択された番組を消去し、録画予約のためのハードディスクの空き容量を確保していた（例えば、特許文献１参照）。
【特許文献１】特開２０００−６４７８５号公報（第９頁乃至第１３頁、第９図乃至第１５図）
【発明の開示】
【発明が解決しようとする課題】
【０００３】
近年、録画再生装置を家族内の複数のユーザで共有して使用している場合、不用意に録画した番組を消去させない為、各ユーザが録画した番組にパスワードを付与している。
【０００４】
従って、上記した従来技術では、録画された番組の所有者（ユーザ）が異なっていた場合、遠隔地のユーザから録画再生装置の空き容量を増やす為、異なるユーザが付与したパスワードを有する録画番組を消去することが不可能であった。
【０００５】
また、録画番組にパスワードが付与されていなくても、ユーザの携帯電話に通知された録画再生装置内の録画した番組を消去することができない場合、ユーザは遠隔地から録画再生装置に対して録画予約を行うことができないという問題があった。
【０００６】
そこで、本発明は上記の問題を解決するためになされたものであり、遠隔操作により録画再生装置内の録画番組を消去、移動、画質・音質変更等の動作要求を依頼することにより、録画再生装置の録画可能な残容量を効果的に増加することにより録画予約を確実に実行可能とする録画再生装置を提供することを目的とする。
【課題を解決するための手段】
【０００７】
本発明の録画再生装置は、ネットワークを経由して外部の機器と通信を行う通信手段と、映像を伴う番組の情報を記憶する記憶手段と、通信手段を介して記憶手段の記憶に関わる番組の情報を外部の機器に送信する提供手段と、通信手段を介して外部の機器から番組の圧縮レート変換要求の受信に従い、記憶手段に記憶されている番組の圧縮レートを異なる圧縮レートに変換する変換手段とを具備したことを特徴とする。
【０００８】
また、本発明の録画再生装置は、ネットワークを経由して外部の機器と通信を行う通信手段と、映像を伴う番組の情報を記憶する第1の記憶手段と、通信手段を介して第1の記憶手段の記憶に関わる番組の情報を外部の機器に送信する提供手段と、通信手段を介して外部の機器から番組の移動要求の受信に従い、第1の記憶手段に記憶されている番組を第２の記憶手段に移動する移動手段とを具備したことを特徴とする。
【０００９】
このような構成にすることにより、遠隔地から録画再生装置に対する録画済み番組の移動又は圧縮レートの変換動作は、遠隔地から録画再生装置内の録画可能な残容量を効果的に増加し、遠隔地からの録画予約の失敗を未然に防ぐことができる。特に、遠隔地から録画再生装置に対する録画済み番組の圧縮レートの変換動作は、番組データを消去や移動する為の別メディアがない場合でも録画再生装置内の録画可能な残容量を効果的に増加することができる。
【００１０】
また、更に、本発明の録画再生装置は、ネットワークを経由して第１及び第２の外部の機器と通信を行う通信手段と、映像を伴う番組の情報を記憶する記憶手段と、通信手段を介して記憶手段の記憶に関わる番組の情報を第１の外部の機器に送信する提供手段と、通信手段を介して第１の外部の機器から番組の消去要求の受信に従い、当該番組が異なるユーザにより所有されている場合、第２の外部機器に対して当該番組の消去の承認依頼を送信する依頼手段と、前記通信手段を介して前記第２の外部の機器から番組の消去承認の受信に従い記憶手段に記憶されている番組を消去する消去手段とを具備したことを特徴とする。
【００１１】
このような構成にすることにより、録画済みの消去対象の番組に異なる所有者が存在しても、各所有者の携帯端末に対して、消去承認依頼のメールを通知し、録画再生装置内の録画済みの番組消去を用意に円滑に取得し、遠隔地から録画再生装置内の録画可能な残容量を効果的に増加し、遠隔地からの録画予約の失敗を未然に防ぐことができる。更に、録画済みの番組に所用者情報が設けられているので、番組の所有者以外のユーザにより録画済みの番組が消去されることを未然に防止できる効果がある。
【発明の効果】
【００１２】
本発明によれば、遠隔操作から録画再生装置の録画可能な残容量を効果的に増加することができるので、遠隔操作でも録画再生装置に対する録画予約を確実に実行可能とすることができる。
【発明を実施するための最良の形態】
【００１３】
以下、図面を参照しながら本発明の実施の形態について詳細に説明する。
【００１４】
図１は、本発明の一実施形態に係る記憶再生装置１の構成を示すブロック図である。録画再生装置１は、入力情報を所定の記憶媒体に記憶し、再生指示に応じて既に記憶されている情報を再生する記憶再生部１４、記憶再生部１４への記憶及び記憶再生部１４からの再生、及び以下に説明する各部の動作を制御するマイクロコンピュータ（以下、ＭＰＵと称す。即ち、主制御装置）１５を有する。
【００１５】
記憶再生部１４は、例えば、ＤＶＤ(Digital Versatile Disk)規格に準拠して製造されたディスクＤに、映像や音声等の情報の記憶及び再生が可能なディスクドライブユニット１４ａ、ディスクドライブユニット１４ａにセットされたディスクＤに記憶されるデータ或いはディスクＤから再生されたデータの一定量を一時的に保持可能なバッファリングメモリとして機能する一時記憶部１４ｂ、大容量データを記憶可能なＨＤＤ１４ｄ、及びデータプロセッサ１４ｃを含む。
【００１６】
データプロセッサ１４ｃは、ＭＰＵ１５の制御に従って、エンコーダ部１３から出力された記憶データをディスクドライブ１４ａに供給し、ディスクＤの再生信号をディスクドライブ１４ａから取り込み、デコーダ部１６に供給する。又、データプロセッサ１４ｃは、ＭＰＵ１５の制御に従って、エンコーダ部１３から出力された記憶データをＨＤＤ１４ｄに供給し、ＨＤＤ１４ｄからの再生信号をデコーダ部１６に供給する。更に、データプロセッサ１４ｃは、ＭＰＵ１５の制御に従って、ディスクＤ或いはＨＤＤ１４ｄに記憶された管理情報を書き替え、記憶された番組データの消去、又は、移動、画質変更等を実行する。
【００１７】
尚、一時記憶部１４ｂは、具体的には、記憶途中でディスクＤの記憶容量を使い切ってしまった場合、ディスクＤが記憶容量の残っているディスクに交換されるまでの間、記憶対象であるコンテンツ（以下、番組と称す。）の情報を一時記憶しておくことに利用できる。ディスクＤは、例えば、追記憶可能なＤＶＤ−Ｒ、書換え可能なＤＶＤ-ＲＡＭ等の記憶可能な光ディスクである。
【００１８】
エンコーダ部１３は、入力された映像信号をエンコードして圧縮する。エンコーダ部１３には、記憶対象である映像や音声などのＡＶ信号を外部から入力するためのＡＶ入力端子１１、及び、例えば、放送事業者等に代表される情報配信者から配信される映像や音声が受信可能なチューナ１２が接続される。チューナ１２は、ＭＰＵ１５の制御に従って、映像や音声のコンテンツ情報を配信する放送局を選局し、地上波又は衛星放送として配信される映像や音声を復調する。更に、番組情報の選局のための番組ガイド情報を放送の垂直帰線期間区間に多重し、配信する放送局を選局することも出来る。
【００１９】
デコーダ部１６は、記憶再生部１４から出力された圧縮形式の映像や音声等の情報をデコードして伸長する。また、デコーダ部１６は、デコーダ部１６によりデコードされた映像や音声等の再生情報をテレビ等の再生装置に供給するためのＡＶ出力端子１７に接続される。更に、デコーダ部１６は、映像や音声等の再生情報に重ねてＭＰＵ１５から入力された番組情報や予約番組情報の一覧をオンディスプレイ信号としてＡＶ出力端子１７に出力する。
【００２０】
ＭＰＵ１５は、タイマ・マイコン１９が接続される。タイマ・マイコン１９は、記憶再生装置１の時間管理に利用されるタイマ回路（時計ユニット）１９ａを有する。タイマ・マイコン１９には、予約者からの操作（指示）を受け付ける予約者操作入力部１０が接続される。又、録画予約情報或いは装置１本体の動作状態を表示する表示部１８、電話回線或いはＣＡＴＶ回線等により接続されるインターネット等の通信ネットワークを介して、外部から録画予約を入力し、及び録画予約の可否を指定された返信先に通知可能な通信制御部２１、録画予約情報等を保持可能なメモリ２０及びHDD１４ｄ及びディスクＤの録画可能時間を検出する残量検出部２２がＭＰＵ１５に接続される。尚、通信制御部２１には、ネットワークにおいて広く利用されているブラウザソフト、例えば、ネットワーク内で情報の検索や閲覧が可能な応用ソフトウェア及び所定の条件下で外部にメールを送信可能な図示しないダイヤラ等が予め用意される。外部から通信ネットワークを介して入力された録画予約情報は、ＭＰＵ１５の制御に従って、その録画が可能であれば録画予約情報テーブル２０ａに登録される。
【００２１】
更に、ＭＰＵ１５は、メモリ２０に記憶されている制御プログラムに従い、ディスクＤに対する情報記憶再生及び消去、上書き、移動や画質変更等の処理、予約者操作入力部１０を介して入力された録画予約情報に対応する録画動作、エンコーダ１２からパススルーされた番組情報を取り出し、取り出された番組情報を映像や音声をデコードするデコーダ部１６への供給、表示部１８を用いた表示動作等を制御する。
【００２２】
タイマ・マイコン１９は、タイマ回路１９ａ及び録画予約情報テーブル２０ａを監視しながら、予約者により設定された録画予約情報を管理し、録画予約開始時刻に達した時点でＭＰＵ１５に録画開始指示、及び録画予約終了時刻に達した時点でＭＰＵ１５に録画終了指示を出力する。
【００２３】
予約者操作入力部１０により予約者は、番組身の録画、再生、或いは、録画予約情報の入力及び録画予約情報の変更等が可能である。又、予約者操作入力部１０は、図示しないリモートコントロール端末（以下、リモコンと称する。）から送信された制御信号を受け入れるデータ受信部１０ｂ、予約者からの直接入力を介して受付け制御信号をタイマ・マイコン１９へ出力可能な操作パネル１０ａを含む。
【００２４】
図２は、予約者が番組録画予約の際に、図１に示した録画再生装置１の内部状態（録画予約一覧、記憶媒体の残容量等）をサーバ４を介して確認するシステムの一例を示す。記憶再生装置１及び携帯端末３はインターネット２等の通信ネットワークを介してメールサーバ及びＷｅｂサーバに接続される。
【００２５】
携帯端末３は、携帯電話、ＰＣ(Personal Computer)、ＰＤＡ(Personal Digital Assistant)、又は、ＰＨＳ(Personal Handy-phone System)等、既存の通信可能機器である。サーバ４はインターネット２上のサイトであって、例えば、録画再生装置１のメーカーが開設し、予約者は無料で使用することができる。予約者、又は、録画再生装置１はサーバのインターネットアドレスであるＵＲＬ(Uniform Resource Locator)に暗証番号等の識別番号を付してサイトを特定することにより、当該サーバ４にアクセスできる。
【００２６】
図２において、携帯端末３により予約者から録画予約情報を含むメールが、サーバ（商用通信制御装置）４に送信される。この録画予約情報には、録画再生機器ＩＤ、ユーザＩＤ、パスワード、放送局のチャネル、録画開始及び終了時刻、画質・音質レートや録画番組のジャンル等が含まれる。メール送信先アドレスは記憶再生装置１固有のアドレスである。録画再生装置１は、サーバ４からメールを受信し、メール本文中の特定の符号列を予約情報と判断し、該予約情報をメモリ２０に格納する。
【００２７】
録画再生装置１の電源が入っている状態、又は、スタンバイ状態で録画再生装置１からサーバ４へのアクセスは、予約者（ユーザ）が設定した時間間隔で実行可能である。スタンバイ状態では、タイマ・マイコン１９、ＭＰＵ１５、メモリ２０、通信制御部２１のみに電源が供給される。
【００２８】
次に、図３、図４及び図５を参照して、本発明の一実施形態に係わる携帯端末３から録画再生装置１に対して送付された電子メールに基づき、録画再生装置１側での録画予約の手順を以下の通りに説明する。
【００２９】
録画再生装置１は、所定の時間、メールサーバ４へのアクセスを待機する（Ｓ１０）。その後、録画再生装置１のＭＰＵ１５は通信制御部２１を介して、あらかじめ決められているメールサーバの所定の受信用メールボックスにアクセスする（Ｓ１１）。アクセスの結果、ＭＰＵ１５は当該録画再生装置１宛のメールが着信しているか否か判断する（Ｓ１２）。もし当該録画再生装置１宛の新規メールが届いていないと判断したならば、ＭＰＵ１５は再び所定の時間、メールサーバ４へのアクセスを待機する（Ｓ１２のＮｏ）。もし当該録画再生装置１宛の新規メールが届いていると判断したならば、ＭＰＵ１５は受信用メールボックスからメールを取得する（Ｓ１２のＹｅｓ→Ｓ１３）。
【００３０】
次に、ＭＰＵ１５は、取得したメールが録画予約メールか否か判断する（Ｓ１４）。もし録画予約メールでないと判断したならば、ＭＰＵ１５は再び所定の時間、メールサーバ
４へのアクセスを待機する（Ｓ１４のＮｏ）。もし録画予約メールが存在すると判断したならば、ＭＰＵ１５は取得した録画予約メールに指定された録画開始〜終了時間及び画質・音質レート（即ち、画像と音声の圧縮レート）に対して、ＨＤＤ１４ｄやディスクＤに対して残容量を検出して録画可能時間を検出する（Ｓ１４のＹｅｓ→Ｓ１５）。
【００３１】
ＭＰＵ１５は、Ｓ１５で検出された録画可能時間と、予約情報管理テーブル２０ａに格納されている他の録画予約状況を参照して、ＨＤＤ１４ｄやディスクＤに対して最終的に録画可能か否か判断する（Ｓ１６）。もし録画予約できないと判断したならば、ＭＰＵ１５は図４に示す如く録画予約失敗の旨を示すメールを携帯端末３に送信する（Ｓ１６のＮｏ→Ｓ１９）。その後、ＭＰＵ１５は、再び所定の時間、メールサーバ４へのアクセスを待機する。
【００３２】
もし録画予約が可能であると判断したならば、ＭＰＵ１５は取得した録画予約メールの内容、例えば、ユーザ、パスワード、録画予約チャンネル、録画予約時間、録画予約の番組のジャンルや映像や音声の圧縮レート等に従い、予約情報管理テーブル２０ａの内容を更新する（Ｓ１６のＹｅｓ→Ｓ１７）。更に、ＭＰＵ１５は、図５に示す如く録画予約が正常に実施された旨を示すメールを携帯端末３にて通知する（Ｓ１８）。その後、ＭＰＵ１５は、再び所定の時間、メールサーバ４へのアクセスを待機する。
【００３３】
次に、図６、図７及び図８を参照して、本発明の一実施形態に係わる携帯端末３から録画再生装置１に対して送付された電子メールに基づき、録画再生装置１内の録画番組の圧縮レートを変換及び移動を示す手順を以下の通りに説明する。
【００３４】
携帯端末３からの録画再生装置１への動作要求は、所定のメールサーバ４を経由して、電子メールによって通知される。録画再生装置１のＭＰＵ１５は、通信制御部２１を介して、受信した電子メール内の動作要求を解釈し、以下の通りの所定の処理を実行する。
【００３５】
初めに、携帯端末３は録画再生装置１に対して録画済み番組情報の送信要求を実行する（Ｓ２０）。ＭＰＵ１５は、携帯端末３から電子メールによって送信されて来る動作要求を受信するまで待機する（Ｓ２１）。ＭＰＵ１５は、当該動作要求を受信したと判断したならば、ＭＰＵ１５はディスクドライブ１４ａ内のディスクＤ、又は、ＨＤＤ１４ｄに録画済みの番組情報を読出し、通信制御部２１を介して携帯端末３に通知する（Ｓ２１のＹｅｓ→Ｓ２２）。
【００３６】
現在、携帯端末３は、録画再生装置１から送信されて来る録画済み番組情報を受信するまで待機中である（Ｓ２３のＮｏ）。もし録画済み番組情報を受信したと判断したならば、携帯端末３は受信した録画済み番組情報を当該携帯端末３の表示部（図示せず）に図７に示す如く一覧表示する（Ｓ２３のＹｅｓ→Ｓ２４）。携帯端末３を操作するユーザは、番組情報の中からタイトルを選択し、録画済み番組の画質や音声の圧縮レート変換、又は、移動を行うコマンドを入力する。更に、ユーザは、録画再生装置１に対して録画済み番組の圧縮レート変換、又は、移動の送信要求を実行する（Ｓ２５）。ここでの圧縮レート変換とは、画質の圧縮率をＳＰモード（４．４／４．６Ｍｂｐｓ）からＬＰモード（２．０／２．２Ｍｂｐｓ）や音質の圧縮レートをＤ２モードからＤ１モードへの自動変換する。また、ディスクドライブ１４ａ内のディスクＤに録画可能でないと判断され、ＨＤＤ１４ｄには、十分な録画可能残容量が存在する場合、自動的に、ディスクＤに記憶された録画済み番組からＨＤＤ１４ｄに移動する。
【００３７】
ＭＰＵ１５は、携帯端末３から電子メールによって送信されて来る圧縮レート変換、又は、移動の動作要求を受信するまで待機している（Ｓ２６）。圧縮レート変換、又は、移動の動作要求を受信したＭＰＵ１５は、ディスクドライブ１４ａ内のディスクＤ、又は、
ＨＤＤ１４ｄに記憶されている対象番組の圧縮レートを変換、又は、所定の場所（ディスクＤからＨＤＤ１４ｄ）に移動する（Ｓ２６のＹｅｓ→Ｓ２７）。ＭＰＵ１５は図８に示した如く、携帯端末３からの動作要求を実行した旨を通信制御部１１２を介して携帯端末３に通知する（Ｓ２８）。
【００３８】
現在、携帯端末３は、録画再生装置１から送信されて来る動作要求完了の通知を受信するまで待機中である（Ｓ２９のＮｏ）。もし動作要求の完了を受信したと判断したならば、携帯端末３は受信した内容を当該携帯端末３の表示部に表示する（Ｓ２９のＹｅｓ→Ｓ３０）。
【００３９】
このような構成にすることにより、遠隔地から録画再生装置１に対する録画済み番組の移動、又は、圧縮レートの変換動作は、遠隔地から録画再生装置１内の録画可能な残容量を効果的に増加し、遠隔地からの録画予約の失敗を未然に防ぐことができる。特に、遠隔地から録画再生装置１に対する録画済み番組の圧縮レートの変換動作は、番組データを消去や移動する為の別メディアがない場合でも録画再生装置内の録画可能な残容量を効果的に増加することができる。
【００４０】
尚、本発明の実施形態では、録画再生装置１内の録画番組の一覧を携帯端末３に送付する際、ＭＰＵ１５はディスクＤ、又は、ＨＤＤ１４ｄに一定期間以上経過した録画済みの番組のみ、一度再生した録画済みの番組のみ、又は、録画時間が一定時間以上の番組のみとすることもできる。
【００４１】
また、本発明の実施形態では、録画再生装置１内の録画済みの番組の一覧を携帯端末３に送付する際、携帯端末３のユーザは（１）番組の一覧を通知する数を一定範囲内での指定、（２）番組が録画された日付順での並び替え、及び（３）番組の録画記憶時間の大小での並べ替え指定することもできる。録画再生装置１内のＭＰＵ１５は携帯端末３から送信されて来る電子メールに記載された動作要求の内容に従い、番組の一覧情報を当該携帯端末３に通知する。
【００４２】
次に、図７、図９、図１０、図１１及び図１２を参照して、本発明の第２の実施形態に係わる携帯端末３から録画再生装置１に対して送付された電子メールに基づき、録画再生装置１内の録画済み番組を消去する手順を以下の通りに説明する。
【００４３】
携帯端末Ａからの録画再生装置１への動作要求は、所定のメールサーバ４を経由して、電子メールによって通知される。録画再生装置１のＭＰＵ１５は、通信制御部２１を介して、受信した電子メール内の動作要求を解釈し、以下の通りの所定の処理を実行する。
【００４４】
初めに、携帯端末Ａは録画再生装置１に対して録画済み番組情報の送信要求を実行する（Ｓ４０）。ＭＰＵ１５は、携帯端末Ａから電子メールによって送信されて来る動作要求を受信するまで待機する（Ｓ４１）。ＭＰＵ１５は、当該動作要求を受信したと判断したならば、ＭＰＵ１５はディスクドライブ１４ａ内のディスクＤ、又は、ＨＤＤ１４ｄに録画済みの番組情報を読出し、通信制御部２１を介して携帯端末Ａに通知する（Ｓ４１のＹｅｓ→Ｓ４２）。
【００４５】
現在、携帯端末Ａは、録画再生装置１から送信されて来る録画済み番組情報を受信するまで待機中である（Ｓ４３のＮｏ）。もし録画済み番組情報を受信したと判断したならば、携帯端末Ａは受信した録画済み番組情報を当該携帯端末Ａの表示部（図示せず）に図７に示す如く一覧表示する（Ｓ４３のＹｅｓ→Ｓ２４）。携帯端末Ａを操作するユーザは、番組情報の中からタイトルを選択し、録画済み番組の消去を行うコマンドを入力する。更に、ユーザは、依頼者にユーザＩＤを入力すると共に、録画再生装置１に対して録画済み
番組の消去の送信要求を実行する（Ｓ４５）。
【００４６】
ＭＰＵ１５は、携帯端末Ａから電子メールによって送信されて来る消去の動作要求を受信するまで待機している（Ｓ４６のＮｏ）。ユーザＩＤと共に消去の動作要求を受信したＭＰＵ１５は、消去要求対象の番組が消去要求を送信した所有物であるかユーザＩＤに従い判断する（Ｓ４６のＹｅｓ→Ｓ４７）。もし消去要求対象の番組が消去要求を送信した所有物であると判断されたならば、ＭＰＵ１５はディスクドライブ１４ａ内のディスクＤ、又は、ＨＤＤ１４ｄに記憶されている対象番組を消去する（Ｓ４７のＹｅｓ→Ｓ５０）。ＭＰＵ１５は図１２に示した如く、携帯端末Ａからの動作要求を実行した旨を通信制御部１１２を介して携帯端末Ａに通知する（Ｓ５１）。
【００４７】
また、携帯端末Ａは、録画再生装置１から送信されて来る動作要求完了の通知を受信するまで待機中である（Ｓ５２のＮｏ）。もし動作要求の完了を受信したと判断したならば、携帯端末３は受信した内容を当該携帯端末３の表示部に表示する（Ｓ５２のＹｅｓ→Ｓ５３）。
【００４８】
一方、Ｓ４７で、消去要求対象の番組が消去要求者を送信したユーザの所有物でないならば、ＭＰＵ１５は、図１１に示した如く、消去要求対象の番組の各所有者（ユーザ）に対して消去承認要求の旨を示した電子メールを通知する（Ｓ４７のＮｏ→Ｓ４８）。ＭＰＵ１５は、各所有者の携帯端末１、例えば、携帯端末Ｂから電子メールによって送信されて来る消去承認の旨を示した電子メールを受信するまで待機している（Ｓ４９のＮｏ）。承認者のユーザＩＤと共に消去対象の番組情報を受信したＭＰＵ１５は、ディスクドライブ１４ａ内のディスクＤ、又は、ＨＤＤ１４ｄに記憶されている対象番組を消去する（Ｓ４９のＹｅｓ→Ｓ５０）。
【００４９】
また、携帯端末Ｂ側のユーザは、録画再生装置１から電子メールによって送信されて来る消去承認依頼の旨を示した電子メールを受信するまで待機している（Ｓ６０のＮｏ）。消去承認要求依頼を受信した携帯端末Ｂは、携帯端末Ｂの表示部（図示せず）上に消去対象の番組情報を表示する（Ｓ６０のＹｅｓ→Ｓ６１）。携帯端末Ｂのユーザは、消去可能な番組を選定する。携帯端末Ｂは、承認者のユーザＩＤと共に、対象番組の消去を承認した旨の電子メールを携帯端末Ａに通知する（Ｓ５１）。
【００５０】
このような構成にすることにより、録画済みの消去対象の番組に異なる所有者（ユーザ）が存在しても、各所有者（ユーザ）の携帯端末３に対して、消去承認依頼の電子メールを通知し、録画再生装置１内の録画済みの番組消去を容易に円滑に取得し、遠隔地から録画再生装置１内の録画可能な残容量を効果的に増加し、遠隔地からの録画予約の失敗を未然に防ぐことができる。更に、録画済みの番組に所用者の情報（ユーザＩＤ）が設けられているので、番組の所有者以外のユーザにより録画済みの番組が消去されることを未然に防止できる効果がある。
【００５１】
尚、本発明に他の実施形態では、録画再生装置１内の録画番組の一覧を携帯端末３に送付する際、当該携帯端末３の依頼者（ユーザ）が所有する録画済みの番組のみとすることもできる。この場合、録画済みの番組の所有者（ユーザ）が携帯端末３の依頼者のみであり、当該番組は他のユーザに所有されていないので、別途消去の承認依頼処理を実行する必要がない。
【００５２】
また、本発明の別の実施形態では、録画再生装置１内の録画済みの番組が他のユーザに所有されていても、携帯端末３の依頼者（ユーザ）が選択した番組に対して録画再生装置１内のＭＰＵ１５は当該番組が一度再生した番組であると判断したならば、ＭＰＵ１５は他のユーザに対する承認なしに、当該番組の消去、圧縮レート、又は、移動を実行するこ
ともできる。
【図面の簡単な説明】
【００５３】
【図１】本発明の一実施形態に係る録画再生装置の構成を示すブロック図。
【図２】同実施形態を係わる録画再生装置のシステム構成例を示すブロック図。
【図３】同実施形態を係わる録画再生装置における録画予約処理の動作を示すフローチャート。
【図４】同実施形態に係わる録画予約失敗通知の電子メールのフォーマット例を示す図。
【図５】同実施形態に係わる録画予約完了通知の電子メールのフォーマット例を示す図。
【図６】同実施形態を係わる録画済み番組のレート変換及び移動の動作を示すフローチャート。
【図７】同実施形態に係わる録画済み番組の一覧通知の電子メールのフォーマット例を示す図。
【図８】同実施形態に係わる録画済み番組の動作要求の完了を知らせる電子メールのフォーマット例を示す図。
【図９】本発明の第２の実施形態に係わる録画済み番組の消去動作を示すフローチャート。
【図１０】同実施形態に係わる録画済み番組の消去動作を示すフローチャート。
【図１１】同実施形態に係わる録画済み番組の消去依頼を示す電子メールのフォーマット例を示す図。
【図１２】同実施形態に係わる録画済み番組の消去要求の完了を知らせる電子メールのフォーマット例を示す図。
【符号の説明】
【００５４】
１・・・記憶再生装置、２・・・インターネット、３・・・端末装置、４・・・サーバ、
１０・・・ユーザ操作部、１０ａ・・・パネル、１０ｂ・・・受信部、１１・・・ＡＶ入力端子、
１２・・・ＴＶチューナ、１３・・・エンコーダ部、１４・・・記憶再生部、１５・・・ＭＰＵ、
１６・・・デコーダ部、１７・・・ＡＶ出力端子、１８・・・表示部、１９・・・タイマ・マイコン、１９ａ・・・タイマ回路、２０・・・メモリ、２０ａ・・・予約情報管理テーブル、
２１・・・通信制御部、２２…残量検出部
【図１】
2005184451.tif 000003
【図２】
2005184451.tif 000004
【図３】
2005184451.tif 000005
【図４】
2005184451.tif 000006
【図５】
2005184451.tif 000007
【図６】
2005184451.tif 000008
【図７】
2005184451.tif 000009
【図８】
2005184451.tif 000010
【図９】
2005184451.tif 000011
【図１０】
2005184451.tif 000012
【図１１】
2005184451.tif 000013
【図１２】
2005184451.tif 000014